(57)【要約】      （修正有）【課題】  不特定ユーザ使用モードにおいては、ユーザの個人情報が他人に漏れないようにする個人情報秘匿制御を行う画像処理装置を提供する。【解決手段】  個人情報入力手段と、入力された個人情報に基づきジョブを実行するジョブ処理手段と、過去に実行したジョブに関する情報を呼出す手段を有し、そのジョブ情報に関し、個人情報を設定に反映しない、個人情報を蓄積しない、呼出しに対し個人情報を表示しない、などの制御を行なうようにした。【選択図】      図１
2006041598.tif 000002
【特許請求の範囲】
【請求項１】
個人情報を入力する個人情報入力手段と、
前記個人情報入力手段で入力された個人情報に基づきジョブを実行するジョブ処理手段と、
前記ジョブ処理手段で実行したジョブに関する情報を取得する取得手段と、
前記取得手段による情報取得の際に前記個人情報入力手段で入力された個人情報が他人に漏れないようにするための個人情報秘匿制御を行う制御手段と
を有することを特徴とする画像処理装置。
【請求項２】
前記取得手段は、前記ジョブ処理手段により過去に行われたジョブ設定を呼び出すことが可能なリコール手段を含み、
前記制御手段は、個人情報秘匿制御として、前記リコール手段のリコールに関して、所定の制御を行うことを特徴とする請求項１に記載の画像処理装置。
【請求項３】
前記所定の制御とは、前記個人情報を表示しないことであることを特徴とする請求項２に記載の画像処理装置。
【請求項４】
前記所定の制御とは、前記個人情報を設定に反映しないことであることを特徴とする請求項２に記載の画像処理装置。
【請求項５】
前記所定の制御とは、前記個人情報をリコール用に蓄積しないことであることを特徴とする請求項２に記載の画像処理装置。
【請求項６】
前記画像処理装置の動作モードを切り替えるたびにリコール情報をクリアするクリア手段を有することを特徴とする請求項１乃至５のいずれかに記載の画像処理装置。
【請求項７】
前記ジョブ処理手段によるジョブの状況を表示する表示手段を有し、
前記制御手段は、個人情報秘匿制御として、前記表示手段のジョブの状況表示に関して所定の制御を行うことを特徴とする請求項１に記載の画像処理装置。
【請求項８】
前記ジョブの状況は、過去に行われたジョブの履歴であることを特徴とする請求項７に記載の画像処理装置。
【請求項９】
前記ジョブの状況は、現在実行中のジョブの実行状況であることを特徴とする請求項７に記載の画像処理装置。
【請求項１０】
前記ジョブの状況は、実行待ちのジョブの状況であることを特徴とする請求項７に記載の画像処理装置。
【請求項１１】
前記ジョブ処理手段は、入力されたデータを送信する処理を含み、前記個人情報は、送信先アドレスを含むことを特徴とする請求項１乃至１０のいずれかに記載の画像処理装置。
【請求項１２】
前記ジョブ処理手段は、入力されたデータを送信する処理を含み、前記個人情報は、送信者名を含むことを特徴とする請求項１乃至１０のいずれかに記載の画像処理装置。
【請求項１３】
前記ジョブ処理手段は、入力されたデータを送信する処理を含み、前記個人情報は、返信先アドレスを含むことを特徴とする請求項１乃至１０のいずれかに記載の画像処理装置。
【請求項１４】
ネットワークに接続され、所定の設定情報を用いてジョブを実行する画像処理装置であって、
前記ジョブを実行する際に用いた設定情報を前記ネットワーク上のリコールサーバに格納する格納手段と、
前記リコールサーバに格納された設定情報を呼び出すことが可能なリコール手段と
を有することを特徴とする画像処理装置。
【請求項１５】
ユーザを認証するユーザ認証手段と、
前記ユーザ認証手段により認証されたユーザと前記リコールサーバの特定の設定情報とを関連付ける関連付け手段と、
前記ユーザ認証手段により認証されたユーザには前記関連付け手段により関連付けられた設定情報を更新許可すると共に前記ユーザ認証手段により認証されたユーザには前記関連付け手段により関連付けられた設定情報を参照許可するように制御する制御手段と
を有することを特徴とする請求項１４に記載の画像処理装置。
【請求項１６】
前記ユーザ認証手段を用いないことを可能にするユーザ認証回避手段と、
前記ユーザ認証回避手段を用いた場合には前記ネットワーク上のリコールサーバを用いたリコール機能を使えないようにするリコール機能停止手段と
を有することを特徴とする請求項１４または１５に記載の画像処理装置。
【請求項１７】
前記ユーザ認証手段を用いないことを可能にするユーザ認証回避手段と、
前記ユーザ認証回避手段を用いた場合にはリコール機能で個人情報にアクセスできないようにするアクセス停止手段と
を有することを特徴とする請求項１４または１５に記載の画像処理装置。
【請求項１８】
前記ジョブは、データを送信する処理を含み、前記個人情報は、送信先アドレスを含むことを特徴とする請求項１４乃至１７のいずれかに記載の画像処理装置。
【請求項１９】
前記ジョブは、データを送信する処理を含み、前記個人情報は、送信者名を含むことを特徴とする請求項１４乃至１７のいずれかに記載の画像処理装置。
【請求項２０】
前記ジョブは、データを送信する処理を含み、前記個人情報は、返信先アドレスを含むことを特徴とする請求項１４乃至１７のいずれかに記載の画像処理装置。
【請求項２１】
ユーザが前記画像処理装置を利用する際にユーザ認証を行うか否かを選択する選択手段を有し、
前記選択手段によりユーザ認証を行わないことが選択された場合には、前記ユーザ認証回避手段を用いることを特徴とする請求項１６または１７に記載の画像処理装置。
【請求項２２】
個人情報を入力する個人情報入力工程と、
前記個人情報入力工程で入力された個人情報に基づきジョブを実行するジョブ処理工程と、
前記ジョブ処理工程で実行したジョブに関する情報を取得する取得工程と、
前記取得工程による情報取得の際に前記個人情報入力工程で入力された個人情報が他人に漏れないようにするための個人情報秘匿制御を行う制御工程と
を有することを特徴とする画像処理装置の制御方法。
【請求項２３】
前記取得工程は、前記ジョブ処理工程により過去に行われたジョブ設定を呼び出すことが可能なリコール工程を含み、
前記制御工程は、個人情報秘匿制御として、前記リコール工程のリコールに関して、所定の制御を行うことを特徴とする請求項２２に記載の画像処理装置の制御方法。
【請求項２４】
前記所定の制御とは、前記個人情報を表示しないことであることを特徴とする請求項２２に記載の画像処理装置の制御方法。
【請求項２５】
前記所定の制御とは、前記個人情報を設定に反映しないことであることを特徴とする請求項２２に記載の画像処理装置の制御方法。
【請求項２６】
前記所定の制御とは、前記個人情報をリコール用に蓄積しないことであることを特徴とする請求項２２に記載の画像処理装置の制御方法。
【請求項２７】
前記画像処理装置の動作モードを切り替えるたびにリコール情報をクリアするクリア工程を有することを特徴とする請求項２２乃至２６のいずれかに記載の画像処理装置の制御方法。
【請求項２８】
前記ジョブ処理工程によるジョブの状況を表示する表示工程を有し、
前記制御工程は、個人情報秘匿制御として、前記表示工程のジョブの状況表示に関して所定の制御を行うことを特徴とする請求項２２に記載の画像処理装置の制御方法。
【請求項２９】
前記ジョブの状況は、過去に行われたジョブの履歴であることを特徴とする請求項２８に記載の画像処理装置の制御方法。
【請求項３０】
前記ジョブの状況は、現在実行中のジョブの実行状況であることを特徴とする請求項２８に記載の画像処理装置の制御方法。
【請求項３１】
前記ジョブの状況は、実行待ちのジョブの状況であることを特徴とする請求項２８に記載の画像処理装置の制御方法。
【請求項３２】
前記ジョブ処理工程は、入力されたデータを送信する処理を含み、前記個人情報は、送信先アドレスを含むことを特徴とする請求項２２乃至３１のいずれかに記載の画像処理装置の制御方法。
【請求項３３】
前記ジョブ処理工程は、入力されたデータを送信する処理を含み、前記個人情報は、送信者名を含むことを特徴とする請求項２２乃至３１のいずれかに記載の画像処理装置の制御方法。
【請求項３４】
前記ジョブ処理工程は、入力されたデータを送信する処理を含み、前記個人情報は、返信先アドレスを含むことを特徴とする請求項２２乃至３１のいずれかに記載の画像処理装置の制御方法。
【請求項３５】
ネットワークに接続され、所定の設定情報を用いてジョブを実行する画像処理装置の制御方法であって、
前記ジョブを実行する際に用いた設定情報を前記ネットワーク上のリコールサーバに格納する格納工程と、
前記リコールサーバに格納された設定情報を呼び出すことが可能なリコール工程と
を有することを特徴とする画像処理装置の制御方法。
【請求項３６】
ユーザを認証するユーザ認証工程と、
前記ユーザ認証工程により認証されたユーザと前記リコールサーバの特定の設定情報とを関連付ける関連付け工程と、
前記ユーザ認証工程により認証されたユーザには前記関連付け工程により関連付けられた設定情報を更新許可すると共に前記ユーザ認証工程により認証されたユーザには前記関連付け工程により関連付けられた設定情報を参照許可するように制御する制御工程と
を有することを特徴とする請求項３５に記載の画像処理装置の制御方法。
【請求項３７】
前記ユーザ認証手工程を用いないことを可能にするユーザ認証回避工程と、
前記ユーザ認証回避工程を用いた場合には前記ネットワーク上のリコールサーバを用いたリコール機能を使えないようにするリコール機能停止工程と
を有することを特徴とする請求項３５または３６に記載の画像処理装置の制御方法。
【請求項３８】
前記ユーザ認証工程を用いないことを可能にするユーザ認証回避工程と、
前記ユーザ認証回避工程を用いた場合にはリコール機能で個人情報にアクセスできないようにするアクセス停止工程と
を有することを特徴とする請求項３５または３６に記載の画像処理装置の制御方法。
【請求項３９】
前記ジョブは、データを送信する処理を含み、前記個人情報は、送信先アドレスを含むことを特徴とする請求項３５乃至３８のいずれかに記載の画像処理装置の制御方法。
【請求項４０】
前記ジョブは、データを送信する処理を含み、前記個人情報は、送信者名を含むことを特徴とする請求項３５乃至３８のいずれかに記載の画像処理装置の制御方法。
【請求項４１】
前記ジョブは、データを送信する処理を含み、前記個人情報は、返信先アドレスを含むことを特徴とする請求項３５乃至３８のいずれかに記載の画像処理装置の制御方法。
【請求項４２】
ユーザが前記画像処理装置を利用する際にユーザ認証を行うか否かを選択する選択手段を有し、
前記選択手段によりユーザ認証を行わないことが選択された場合には、前記ユーザ認証回避手段を用いることを特徴とする請求項３５乃至４１のいずれかに記載の画像処理装置の制御方法。
【請求項４３】
請求項２２乃至４２に記載の画像処理装置の制御方法を実現するためのコンピュータ読み取り可能なプログラムコードを有することを特徴とする制御プログラム。
【請求項４４】
請求項４３に記載の制御プログラムを格納したことを特徴とする記憶媒体。
【発明の詳細な説明】
【技術分野】
【０００１】
本発明は、複写機等の画像処理装置、その画像処理装置を制御する制御方法、制御プログラム及びその制御プログラムを格納した記憶媒体に関する。
【背景技術】
【０００２】
従来、送信等の設定データを予め記憶しておき、必要なときに呼び出す画像処理装置が提案されている（例えば、特許文献１参照）。
【０００３】
また、従来、セキュリティーの観点から、ユーザ認証を行い、認証された各ユーザ毎のリコール情報を表示・設定・更新するようにした画像処理装置も提案されている（例えば、特許文献２参照）。
【０００４】
更に、従来、個人の設定を持ち運び可能なメディアに登録し、これを使いたい装置で読み込むことで、個人の設定を復元するようにした画像処理装置も提案されている（例えば、特許文献３参照）。
【特許文献１】特開２００１−１０３２０４号公報
【特許文献２】特開平６−１１３０４８号公報
【特許文献３】特開平６−７８１４３号公報
【発明の開示】
【発明が解決しようとする課題】
【０００５】
しかし、特許文献１の画像処理装置においては、電子メールアドレス等の個人情報が含まれていた場合であっても呼び出されてしまい、複数のユーザで使用する画像処理装置、例えば、コンビニエンスストアに設置された画像処理装置においては、使用したユーザの電子メールアドレス等の個人情報が他人に見られてしまうという問題点があった。
【０００６】
また、特許文献１及び２の画像処理装置においては、ある装置で入力した設定が他の装置では反映されないという問題点があった。
【０００７】
更に、特許文献３の画像処理装置においては、そのメディアを持ち歩く必要があり、また、そのためのデバイスを装置側に設ける必要があり、コストが高くなるという問題点があった。
【０００８】
本発明の第１の目的は、他人には個人情報が見えないようにした画像処理装置、画像処理装置の制御方法、制御プログラム及び記憶媒体を提供することにある。
【０００９】
また、本発明の第２の目的は、ある装置で入力した設定情報を他の装置に反映することができると共に、個人情報の秘匿と個人設定の簡便な復元が可能な画像処理装置、画像処理装置の制御方法、制御プログラム及び記憶媒体を提供することにある。
【課題を解決するための手段】
【００１０】
上記第１の目的を達成するため、本発明の画像処理装置は、個人情報を入力する個人情報入力手段と、前記個人情報入力手段で入力された個人情報に基づきジョブを実行するジョブ処理手段と、前記ジョブ処理手段で実行したジョブに関する情報を取得する取得手段と、前記取得手段による情報取得の際に前記個人情報入力手段で入力された個人情報が他人に漏れないようにするための個人情報秘匿制御を行う制御手段とを有することを特徴とする。
【００１１】
また、上記第１の目的を達成するため、本発明の画像処理装置の制御方法は、個人情報を入力する個人情報入力工程と、前記個人情報入力工程で入力された個人情報に基づきジョブを実行するジョブ処理工程と、前記ジョブ処理工程で実行したジョブに関する情報を取得する取得工程と、前記取得工程による情報取得の際に前記個人情報入力工程で入力された個人情報が他人に漏れないようにするための個人情報秘匿制御を行う制御工程とを有することを特徴とする。
【００１２】
また、上記第２の目的を達成するため、本発明の画像処理装置は、ネットワークに接続され、所定の設定情報を用いてジョブを実行する画像処理装置であって、前記ジョブを実行する際に用いた設定情報を前記ネットワーク上のリコールサーバに格納する格納手段と、前記リコールサーバに格納された設定情報を呼び出すことが可能なリコール手段とを有することを特徴とする。
【００１３】
更に、上記第２の目的を達成するため、本発明の画像処理装置の制御方法は、ネットワークに接続され、所定の設定情報を用いてジョブを実行する画像処理装置の制御方法であって、前記ジョブを実行する際に用いた設定情報を前記ネットワーク上のリコールサーバに格納する格納工程と、前記リコールサーバに格納された設定情報を呼び出すことが可能なリコール工程とを有することを特徴とする。
【発明の効果】
【００１４】
本発明の第１の画像処理装置及びその制御方法によれば、ユーザが入力した個人情報に基づくジョブを実行した場合であっても、当該ユーザの入力した個人情報が他人に漏れないようにする個人情報秘匿制御を行うので、他人には個人情報が見えない。
【００１５】
また、本発明の第２の画像処理装置及びその制御方法によれば、ネットワーク上のリコールサーバに格納された設定情報を呼び出すことができるので、例えば、ある装置で入力した設定情報を他の装置に反映することができる。
【発明を実施するための最良の形態】
【００１６】
以下、本発明の画像処理装置、画像処理装置の制御方法、制御プログラム及び記憶媒体の実施の形態について、図面を参照しながら説明する。
【００１７】
（第１の実施の形態）
まず、第１の実施の形態について、図１乃至図１５に基づき説明する。
【００１８】
＜画像処理装置の概略＞
図１は、本実施の形態に係る画像処理装置である複写機の構成を示すブロック図である。
【００１９】
図１において、１００はＣＰＵ（中央演算処理装置）、１０１は表示手段であるディスプレイ、１０２は入力手段であるタッチパネル、１０３は表示制御部、１０４はタッチパネルコントローラ、１０５はＲＡＭ（ランダムアクセスメモリ）、１０６はＨＤ（ハードディスク）、１０７はスキャナ、１０８はプリンタである。本実施の形態に係る画像処理装置を構成するこれらの各構成要素１００〜１０８は、バス（ＢＵＳ）１０９を介して互いに電気的に接続されている。
【００２０】
図２は、ディスプレイ１０１の正面図であり、その表示画面にはタッチパネル１０２が設けられている。
【００２１】
図１において、ＣＰＵ１０１がジョブ設定に必要な項目・設定値に応じて、ＨＤ（またはＲＡＭ）から表示データを読み出して、該表示データをＲＡＭ１０５に展開し、表示制御部１０３がＲＡＭ１０５から表示データを読み出してディスプレイ１０１に表示する。タッチパネル１０２の押下により、タッチパネルコントローラ１０４が入力座標を表示座標に変換し、ＣＰＵ１００が表示データとの相関から入力を判断して、設定値の変更やモード等のジョブ設定・投入・中止等を行う。
【００２２】
なお、本実施の形態では、タッチパネル１０２だけであるが、入力手段にタッチパネルとハードキーを持つのが一般的である。また、ＲＡＭ１０５の他に表示専用のＶＲＡＭを設けることも一般的である。
【００２３】
ＣＰＵ１００は、ジョブの開始・中断・完了やジャムの発生、更には、タッチパネル１０２の入力等、画像処理装置全体の状態を随時ＲＡＭ１０５に記憶・比較して管理している。
【００２４】
ＨＤ１０６には、ジョブ実行のために必要なプログラムが格納してあり、ＣＰＵ１００は、必要に応じてこのプログラムを読み出して実行する。
【００２５】
例えば、コピーを行う際には、
（１）ＣＰＵ１００がコピー制御プログラムをＨＤ１０６から読み出して実行する。
（２）スキャナ１０７が原稿をＲＡＭ１０５に格納されている設定情報に基づいて読み込み、イメージデータをＲＡＭ１０５に格納する。
（３）格納が完了すると、コピー制御プログラムは、引き続きＲＡＭ１０５からイメージデータを読み出してプリンタ１０８に出力する。
と言う手順を実行する。
【００２６】
更に、ＨＤ１０６にはＷＥＢブラウザも格納されており、バス１０９を通じて画像処理装置外部のインターネットに接続し、ＷＥＢを表示する要求があった場合、ＨＤ１０６から呼び出されて実行される。
【００２７】
なお、ジョブは、過去に行われたジョブ、現在実行中のジョブ、実行待ちのジョブを含むものである。
【００２８】
＜動作モード切り替え＞
図３は、本実施の形態に係る画像処理装置における動作モード切り替え画面の一例を示す図、図４は、本実施の形態に係る画像処理装置におけるユーザ認証画面の一例を示す図である。
【００２９】
図３に示す画面は、図４に示す画面で認証された画像処理装置の管理者（ユーザ）のみが所定の操作によって設定可能である。
【００３０】
次に、本実施の形態に係る画像処理装置における通常動作モードキー押下時の動作について、図５を用いて説明する。
【００３１】
図５は、本実施の形態に係る画像処理装置における通常動作モードキー押下時の動作の流れを示すフローチャートである。
【００３２】
図５において、まず、ステップＳ５０１でユーザが通常動作モードキーを押下すると、次のステップＳ５０２で、ＣＰＵ１００は、動作モードを通常動作モードに設定した後、本処理動作を終了する。
【００３３】
次に、本実施の形態に係る画像処理装置における不特定ユーザ使用モードキー押下時の動作について、図６を用いて説明する。
【００３４】
図６は、本実施の形態に係る画像処理装置における不特定ユーザ使用モードキー押下時の動作の流れを示すフローチャートである。
【００３５】
図６において、まず、ステップＳ６０１でユーザが不特定ユーザ使用モードキーを押下すると、次のステップＳ６０２で、ＣＰＵ１００は、動作モードを不特定ユーザ使用モードに設定した後、本処理動作を終了する。
【００３６】
なお、ＣＰＵ１００は、不特定ユーザ使用モードの要求を受けると、まず、それまでのリコール情報を破棄する。これは、データの整合性を取るためである。
【００３７】
＜リコール情報＞
図７は、本実施の形態に係る画像処理装置におけるリコール情報の一例を示す図である。
【００３８】
同図に示すように、例えば、送信の設定情報を呼び出すには、ｊｏｂｋｉｎｄがｓｅｎｄのものを探して呼び出し、次に、ｄｅｔａｉｌをｓｅｎｄＲｅｃａｌｌで読むという手順になる。
【００３９】
＜リコール情報格納＞
ＣＰＵ１００は、不特定ユーザ使用モードでは、送信先アドレス、送信者名、返信先アドレス等を含むユーザの個人情報を除いた、ジョブの設定のみをリコール情報としてＲＡＭ１０４に格納する。
【００４０】
＜リコール情報読み出し＞
ＣＰＵ１００は、動作モードに拘らず、ＲＡＭ１０５に格納されたリコール情報を読み出す。
【００４１】
次に、本実施の形態に係る画像処理装置におけるリコール情報読み出し時の動作について、送信設定を例にして説明する。
【００４２】
図１１は、本実施の形態に係る画像処理装置における送信設定画面の一例を示す図であり、同図においては、リセット状態での設定状況を示している。
【００４３】
図１１に示す設定情況から、ジョブに必要な設定を行い、図１２に示すような設定状況を得る。この図１２に示す設定状況のジョブを実行すると、ＣＰＵ１００は、動作モードに従ってリコール情報をＲＡＭ１０５に格納する。
【００４４】
なお、本実施の形態においては、ジョブを実行した後には、リセット動作を実行するため、ジョブが終了した時点で、設定画面は、再び図１１に戻る。
【００４５】
次に、本実施の形態に係る画像処理装置におけるリコール情報読み出し処理動作を、図８に基づき説明する。
【００４６】
図８は、本実施の形態に係る画像処理装置におけるリコール情報読み出し処理動作の流れを示すフローチャートである。
【００４７】
図８において、まず、ステップＳ８０１で、ＣＰＵ１００は、通常動作モードであるか否かを判断する。そして、通常動作モードであると判断された場合には、ステップＳ８０２へ進んで、全てのリコール情報をディスプレイ１０１に表示した後、本処理動作を終了する。即ち、ステップＳ８０２では、画面上のコールキー１番の押下により、図１２に示すように、直前に行った設定を全て呼び出すことが可能であり、ここで画面上のＯＫキーを押下すると、再び図１２の設定状況を再現することができる。
【００４８】
一方、前記ステップＳ８０１において、通常動作モードではないと判断された場合には、ステップＳ８０３へ進んで、個人情報（例えば、アドレス情報）を除いた情報をディスプレイ１０１に表示した後、本処理動作を終了する。即ち、ステップＳ８０３では、図１３に示すように、宛先件数と発信人名称とがマスクされた情報が呼び出され、ここでＯＫキーを押下すると、図１４に示すような個人情報（例えば、アドレス情報）を除いた情報がディスプレイ１０１に表示される。
【００４９】
＜リコール情報を設定に反映＞
次に、本実施の形態に係る画像処理装置において、表示されているリコール情報を設定に反映する処理動作について、図９に基づき説明する。
【００５０】
図９は、本実施の形態に係る画像処理装置において、表示されているリコール情報を設定に反映する処理動作の流れを示すフローチャートである。
【００５１】
図９において、まず、ステップＳ９０１で、通常動作モードであるか否かを判断する。そして、通常動作モードであると判断された場合には、ステップＳ９０２へ進んで、全てのリコール情報を設定に反映した後、本処理動作を終了する。即ち、ステップＳ９０２では、画面上のコールキー１番の押下により、図１２に示すように、直前に行った設定を全て呼び出すことが可能であり、ここで画面上のＯＫキーを押下すると、再び図１２の設定状況を再現することができる。
【００５２】
一方、前記ステップＳ９０１において、通常動作モードではないと判断された場合には、ステップＳ９０３へ進んで、個人情報（例えば、アドレス情報）を除いた情報を設定に反映した後、本処理動作を終了する。即ち、ステップＳ９０３では、図１３に示すように、宛先件数と発信人名称とがマスクされた情報が呼び出され、ここでＯＫキーを押下すると、図１４に示すような個人情報（例えば、アドレス情報）を除いた情報のみが設定に反映される。
【００５３】
＜リコール情報更新＞
次に、本実施の形態に係る画像処理装置において、設定を元にリコール情報を更新する処理動作について、図１０に基づき説明する。
【００５４】
図１０は、本実施の形態に係る画像処理装置において、設定を元にリコール情報を更新する処理動作の流れを示すフローチャートである。
【００５５】
図１０において、まず、図テップＳ１００１で、通常動作モードであるか否かを判断する。そして、通常動作モードであると判断された場合には、ステップＳ１００２へ進んで、図１５に示すような全ての情報をリコール情報へ更新した後、本処理動作を終了する。
【００５６】
一方、前記ステップＳ１００１において、通常動作モードではないと判断された場合には、図１３に示すように、個人情報（例えば、アドレス情報）を除いた情報をリコール情報へ更新した後、本処理動作を終了する。
【００５７】
以上より明らかなように、本実施の形態によれば、通常動作モードに加え、不特定ユーザ使用モードを設け、不特定ユーザ使用モードでは、ユーザの個人情報はリコールの対象にしない、または、ジョブリスト表示でも表示しないことで、他人には個人情報が見えないようにすることが可能である。
【００５８】
（第２の実施の形態）
次に、第２の実施の形態を説明する。
【００５９】
なお、本実施の形態に係る画像処理装置の基本的な構成は、上述した第１の実施の形態の図１及び図２と同一であるから、その説明を省略する。
【００６０】
本実施の形態に係る画像処理装置においては、ＣＰＵ１００は、不特定ユーザ使用モードの要求を受けても、それまでのリコール情報を破棄しない。
【００６１】
＜リコール情報の格納＞
また、本実施の形態に係る画像処理装置においては、ＣＰＵ１００は、動作モードに拘らず、常にジョブの全設定をリコール情報に格納する。
【００６２】
＜リコール情報の読み出し＞
更に、本実施の形態に係る画像処理装置においては、ＣＰＵ１００は、不特定ユーザ使用モードでは、送信先アドレス、送信者名、返信先アドレス等を含むユーザの個人情報を除いた、ジョブの設定のみをリコール情報から読み出す。
【００６３】
なお、本実施の形態におけるその他の構成、動作及び効果は、上述した第１の実施の形態と同一である。
【００６４】
（第３の実施の形態）
次に、第３の実施の形態を、図１６及び図１７に基づき説明する。
【００６５】
なお、本実施の形態に係る画像処理装置の基本的な構成は、上述した第１の実施の形態の図１及び図２と同一であるから、その説明を省略する。
【００６６】
図１６は、本実施の形態に係る画像処理装置における通常動作モードのジョブリストの一例を示す図、図１７は、本実施の形態に係る画像処理装置における不特定ユーザ使用モードのジョブリストの一例を示す図である。
【００６７】
＜ジョブリスト表示＞
本実施の形態に係る画像処理装置においては、ＣＰＵ１００は、通常動作モードでは、図１６に示すように、全ての情報をジョブリストに表示し、また、不特定ユーザ使用モードでは、送信先アドレス、送信者名、返信先アドレス等を含むユーザの個人情報を除いた、ジョブの情報のみを図１７に示すようにジョブリストに表示する。
【００６８】
なお、本実施の形態におけるその他の構成、動作及び効果は、上述した第１の実施の形態と同一である。
【００６９】
（第４の実施の形態）
次に、第４の実施の形態を、図１８〜図２１に基づき説明する。
【００７０】
＜装置概略＞
図１８は、本実施の形態に係る画像処理装置である複写機の構成を示すブロック図であり、同図において、上述した第１の実施の形態の図１と同一部分には、同一符号が付してある。
【００７１】
図１８において図１と異なる点は、図１の構成に、リコールサーバ１８００とＮＩＣ１８０１とを付加したことである。このリコールサーバ１８００とＮＩＣ１８０１は、ネットワーク（Ｎｅｔｗｏｒｋ）１８０２に接続されている。
【００７２】
リコールサーバ１８００は、対応するリコール情報格納アドレスからリコール情報を読み出し、ＮＩＣ１８０１を経由してＣＰＵ１００に伝えるものである。また、ＣＰＵ１００は、リコールサーバ１８００から伝えられたリコール情報をＲＡＭ１０５に格納する。
【００７３】
本実施の形態に係る画像処理装置においては、ＣＰＵ１００がＮＩＣ１８０１を介して、ネットワーク１８０２に接続されている。
【００７４】
＜動作モード切り替え＞
本実施の形態に係る画像処理装置における動作モード切り替え画面、通常モードキー押下時の処理動作、不特定ユーザ使用モードキー押下時の処理動作は、上述した第１の実施の形態と同一であるから、その説明は省略する。
【００７５】
＜ユーザ認証情報＞
図１９は、本実施の形態に係る画像処理装置におけるユーザ認証情報の一例を示す図であり、このユーザ認証情報は、リコールサーバ１８００に格納されている。
【００７６】
また、図２０は、本実施の形態に係る画像処理装置におけるユーザの認証要求を受けた際の画面の一例を示す図である。
【００７７】
ＣＰＵ１００は、ユーザの認証要求を受けると、図２０に示すように、ディスプレイ１０１にユーザＩＤとパスワードの入力を促すメッセージを表示すると共に、それぞれの入力エリアとキーボードイメージを表示する。そして、ユーザＩＤとパスワードがタッチパネル１０２を介して入力されると、ＣＰＵ１００は、ユーザ認証情報をＮＩＣ１８０１経由でリコールサーバ１８００に参照し、入力されたユーザＩＤとパスワードの組み合わせがユーザ認証情報にあるか否かを確認する。
【００７８】
そして、リコールサーバ１８００から、入力されたユーザＩＤとパスワードの組み合わせがユーザ認証情報に無い旨通知された場合ＣＰＵ１００は、入力に誤りがあることを示すメッセージをディスプレイ１０１に表示して、ユーザＩＤとパスワードの再入力を促す。
【００７９】
一方、リコールサーバ１８００から、入力されたユーザＩＤとパスワードの組み合わせがユーザ認証情報に有る旨通知された場合ＣＰＵ１００は、画面のロックを解除して、ユーザによる操作を可能状態にする。
【００８０】
＜ユーザ毎のリコール情報表示＞
図２１は、本実施の形態に係る画像処理装置におけるユーザ認証情報とリコールサーバ１８００に格納されているユーザ毎のリコール情報との関係を示す図である。
【００８１】
リコールサーバ１８００は、対応するリコール情報格納アドレスからリコール情報を読み出して、ＣＰＵ１００にＮＩＣ１８０１を経由して伝える。ＣＰＵ１００は、リコールサーバ１８００からのリコール情報をＲＡＭ１０５に格納する。
【００８２】
また、ＣＰＵ１００は、リコール要求を受けると、ＲＡＭ１０５に格納されたリコール情報を読み出す。このリコール情報は、上述した第１の実施の形態の図７と同様で、複合複写機の各機能（この場合は、コピー・送信・ボックス）に対応するような構造をしている（なお、各機能毎に別々のリコール情報を持っていても良い。その場合には、後述する第５の実施の形態のように、ユーザ認証情報に各機能毎のリコール情報格納アドレスを持つものである。）。
【００８３】
仮に、ユーザがコピーの設定画面でリコール要求を行った場合は、読み出したリコール情報からコピーに関するリコール情報のみをディスプレイ１０１に表示するものである。
【００８４】
なお、本実施の形態に係る画像処理装置におけるリコール情報の読み出し処理動作及びリコール情報を設定に反映する処理動作の流れは、上述した第１の実施の形態の図８及び図９と同一である。
【００８５】
＜ユーザ毎のリコール情報更新＞
ジョブ投入時・リセット時にＣＰＵ１００は、それまでの設定を、ＮＩＣ１８０１を経由してリコールサーバ１８００に、ユーザＩＤと共に伝える。リコールサーバ１８００は、ＣＰＵ１００から伝えられたリコール情報を最新のリコール情報として、対応するユーザＩＤのリコール情報を更新する。
【００８６】
なお、本実施の形態に係る画像処理装置におけるリコール情報更新処理動作の流れは、上述した第１の実施の形態の図１０と同一である。
【００８７】
以上より明らかなように、本実施の形態によれば、リコール情報を一元管理するリコールサーバ１８００を設け、各装置ではユーザ認証を行い、認証された個人毎にリコールサーバ１８００のリコール情報を表示・設定・更新することで、個人情報の秘匿と個人設定の簡便な復元手段を提供することが可能である。
【００８８】
なお、本実施の形態に係る画像処理装置のその他の構成及び動作は、上述した第１の実施の形態と同一である。
【００８９】
（第５の実施の形態）
次に、第５の実施の形態を説明する。
【００９０】
なお、本実施の形態に係る画像処理装置の基本的な構成は、上述した第４の実施の形態の図１８と同一であるから、その説明を省略する。
【００９１】
上述した第４の実施の形態の図２０と同じ画面において、ユーザＩＤとパスワードを入力した後に、ＩＤキーを押すとユーザ認証が行われ、ゲストキーを押すとユーザ認証は行われない。
【００９２】
ＣＰＵ１００は、このようにユーザ認証無しで、装置にアクセスされた場合、装置の使用を許可するが、このユーザからのリコール要求を無視する。
【００９３】
なお、本実施の形態に係る画像処理装置のその他の構成及び動作は、上述した第１の実施の形態と同一である。
【００９４】
（その他の実施の形態）
以上が本発明の実施の形態の説明であるが、本発明は、これら実施の形態に限られるものではなく、特許請求の範囲で示した機能、または実施の形態の構成が持つ機能を達成できる構成であれば、どのようなものであっても適用可能である。
【００９５】
また、本発明の目的は、前述した実施の形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出し実行することによっても、達成されることは言うまでもない。この場合、記憶媒体から読み出されたプログラムコード自体が本発明の新規な機能を実現することになり、そのプログラムコードを記憶した記憶媒体及びプログラムは本発明を構成することになる。
【００９６】
また、プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００９７】
また、コンピュータが読み出したプログラムコードを実行することにより、前述した実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施の形態の機能が実現される場合も含まれることは言うまでもない。
【００９８】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施の形態の機能が実現される場合も含まれることは言うまでもない。
【図面の簡単な説明】
【００９９】
【図１】第１の実施の形態に係る画像処理装置の構成を示すブロック図である。
【図２】第１の実施の形態に係る画像処理装置におけるディスプレイとタッチパネルの構成を示す図である。
【図３】第１の実施の形態に係る画像処理装置における動作モード切り替え画面の一例を示す図
【図４】第１の実施の形態に係る画像処理装置におけるユーザ認証画面の一例を示す図である。
【図５】第１の実施の形態に係る画像処理装置における通常動作モードキー押下時の動作の流れを示すフローチャートである。
【図６】第１の実施の形態に係る画像処理装置における不特定ユーザ使用モードキー押下時の動作の流れを示すフローチャートである。
【図７】第１の実施の形態に係る画像処理装置におけるリコール情報の一例を示す図である。
【図８】第１の実施の形態に係る画像処理装置におけるリコール情報読み出し処理動作の流れを示すフローチャートである。
【図９】第１の実施の形態に係る画像処理装置において、表示されているリコール情報を設定に反映する処理動作の流れを示すフローチャートである。
【図１０】第１の実施の形態に係る画像処理装置において、設定を元にリコール情報を更新する処理動作の流れを示すフローチャートである。
【図１１】第１の実施の形態に係る画像処理装置における送信設定画面の一例を示す図である。
【図１２】第１の実施の形態に係る画像処理装置におけるジョブ設定画面の一例を示す図である。
【図１３】第１の実施の形態に係る画像処理装置における宛先件数と発信人名称とがマスクされた情報が呼び出された状態の画面の一例を示す図である。
【図１４】第１の実施の形態に係る画像処理装置における個人情報を除いた情報のみが設定に反映される状態を示す画面の一例を示す図である。
【図１５】第１の実施の形態に係る画像処理装置における全ての情報をリコール情報へ更新した状態を示す図である。
【図１６】第３の実施の形態に係る画像処理装置における通常動作モードのジョブリストの一例を示す図である。
【図１７】第３の実施の形態に係る画像処理装置における不特定ユーザ使用モードのジョブリストの一例を示す図である。
【図１８】第４の実施の形態に係る画像処理装置である複写機の構成を示すブロック図である。
【図１９】第４の実施の形態に係る画像処理装置におけるユーザ認証情報の一例を示す図である。
【図２０】第４の実施の形態に係る画像処理装置におけるユーザの認証要求を受けた際の画面の一例を示す図である。
【図２１】第４の実施の形態に係る画像処理装置におけるユーザ認証情報とリコールサーバ１８００に格納されているユーザ毎のリコール情報との関係を示す図である。
【符号の説明】
【０１００】
１００        ＣＰＵ（制御手段、リコール手段、クリア手段、関連付け手段、ユーザ認証回避手段、アクセス停止手段）
１０５        ＲＡＭ（格納手段）
１８００      リコールサーバ
【図１】
2006041598.tif 000003
【図２】
2006041598.tif 000004
【図３】
2006041598.tif 000005
【図４】
2006041598.tif 000006
【図５】
2006041598.tif 000007
【図６】
2006041598.tif 000008
【図７】
2006041598.tif 000009
【図８】
2006041598.tif 000010
【図９】
2006041598.tif 000011
【図１０】
2006041598.tif 000012
【図１１】
2006041598.tif 000013
【図１２】
2006041598.tif 000014
【図１３】
2006041598.tif 000015
【図１４】
2006041598.tif 000016
【図１５】
2006041598.tif 000017
【図１６】
2006041598.tif 000018
【図１７】
2006041598.tif 000019
【図１８】
2006041598.tif 000020
【図１９】
2006041598.tif 000021
【図２０】
2006041598.tif 000022
【図２１】
2006041598.tif 000023